(57)【特許請求の範囲】
【請求項１】
アンテナユニットと、無線周波数ユニットとを備えた基地局であって、
受信チャンネルに対応する、前記無線周波数ユニットの稼働状態にあるポートと、送信チャンネルに対応する、前記無線周波数ユニットの稼働状態にあるポートは、前記アンテナユニットの異なるデュアル偏波ダイポール又は異なるシングル偏波ダイポールに対応するポートに別々に接続され、前記アンテナユニットの前記異なるデュアル偏波ダイポール又は前記異なるシングル偏波ダイポールは、相互に隔離されており、
前記アンテナユニットは、Ｎのデュアル偏波ダイポールを具備し、前記Ｎのデュアル偏波ダイポールは、Ｎ／２の第１デュアル偏波ダイポールと、Ｎ／２の第２デュアル偏波ダイポールとを具備し、各デュアル偏波ダイポールは、前記アンテナユニットの２つのポートに対応し、Ｎは偶数であり、前記無線周波数ユニットは、２Ｎのトランシーバ・ポートを具備し、
その、受信チャンネルに対応する、前記無線周波数ユニットの稼働状態にあるポートと、送信チャンネルに対応する、前記無線周波数ユニットの稼働状態にあるポートが、前記アンテナユニットの異なるデュアル偏波ダイポールに対応するポートに別々に接続されることは、特に、
前記無線周波数ユニットの任意の２つのトランシーバ・ポートが、前記アンテナユニットの１つのデュアル偏波ダイポールに対応するポートに別々に接続されており、
前記アンテナユニットの第１デュアル偏波ダイポールに対応する２つのポートに接続されている前記無線周波数ユニットの２つのトランシーバ・ポートに対応する受信チャンネルは、閉状態にあり、前記アンテナユニットの第１デュアル偏波ダイポールに対応する２つのポートに接続されている前記無線周波数ユニットの２つのトランシーバ・ポートに対応する送信チャンネルは、稼働状態にあり、
前記アンテナユニットの第２デュアル偏波ダイポールに対応する２つのポートに接続されている前記無線周波数ユニットの２つのトランシーバ・ポートに対応する送信チャンネルは、閉状態にあり、前記アンテナユニットの第２デュアル偏波ダイポールに対応する２つのポートに接続されている前記無線周波数ユニットの２つのトランシーバ・ポートに対応する受信チャンネルは、稼働状態にある
ことを特徴とする基地局。
【請求項２】
前記無線周波数ユニットは、４つのトランシーバ・ポートを具備し、前記アンテナユニットは、２つのデュアル偏波ダイポールを具備し、それの１つのデュアル偏波ダイポールは、第１デュアル偏波ダイポールであり、他のデュアル偏波ダイポールは、第２デュアル偏波ダイポールであり、各デュアル偏波ダイポールは、前記アンテナユニットの２つのポートに対応し、
その、前記アンテナユニットの第１デュアル偏波ダイポールに対応する２つのポートに接続されている前記無線周波数ユニットの２つのトランシーバ・ポートに対応する受信チャンネルが閉状態であり、前記アンテナユニットの第１デュアル偏波ダイポールに対応する２つのポートに接続されている前記無線周波数ユニットの２つのトランシーバ・ポートに対応する送信チャンネルが稼働状態であることは、特に、
前記無線周波数ユニットの前記４つのトランシーバ・ポートは、前記アンテナユニットの４つのポートに別々に接続されており、前記アンテナユニットの前記１つのデュアル偏波ダイポールに接続されている前記無線周波数ユニットの２つのトランシーバ・ポートに対応する受信チャンネルは、閉状態であり、前記アンテナユニットの前記１つのデュアル偏波ダイポールに接続されている前記無線周波数ユニットの２つのトランシーバ・ポートに対応する送信チャンネルは、稼働状態であり、
その、前記アンテナユニットの第２デュアル偏波ダイポールに対応する２つのポートに接続されている前記無線周波数ユニットの２つのトランシーバ・ポートに対応する送信チャンネルが閉状態であり、前記アンテナユニットの第２デュアル偏波ダイポールに対応する２つのポートに接続されている前記無線周波数ユニットの２つのトランシーバ・ポートに対応する受信チャンネルが稼働状態であることは、特に、
前記アンテナユニットの前記他のデュアル偏波ダイポールに接続されている前記無線周波数ユニットの２つのトランシーバ・ポートの送信チャンネルが閉状態であり、前記アンテナユニットの前記他のデュアル偏波ダイポールに接続されている前記無線周波数ユニットの２つのトランシーバ・ポートの受信チャンネルが稼働状態である
ことを特徴とする請求項１に記載の基地局。
【請求項３】
アンテナユニットと、無線周波数ユニットとを備えた基地局であって、
受信チャンネルに対応する、前記無線周波数ユニットの稼働状態にあるポートと、送信チャンネルに対応する、前記無線周波数ユニットの稼働状態にあるポートは、前記アンテナユニットの異なるデュアル偏波ダイポール又は異なるシングル偏波ダイポールに対応するポートに別々に接続され、前記アンテナユニットの前記異なるデュアル偏波ダイポール又は前記異なるシングル偏波ダイポールは、相互に隔離されており、
前記無線周波数ユニットは、２つの受信ポートと、２つのトランシーバ・ポートとを具備し、前記アンテナユニットは、２つのデュアル偏波ダイポールを具備し、各デュアル偏波ダイポールは、前記アンテナユニットの２つのポートに対応し、
その、受信チャンネルに対応する、前記無線周波数ユニットの稼働状態にあるポートと、送信チャンネルに対応する、前記無線周波数ユニットの稼働状態にあるポートが、前記アンテナユニットの異なるデュアル偏波ダイポールに対応するポートに別々に接続されることは、特に、
前記無線周波数ユニットの前記２つのトランシーバ・ポートは、前記アンテナユニットの１つのデュアル偏波ダイポールに対応するポートに別々に接続され、前記無線周波数ユニットの前記２つのトランシーバ・ポートの受信チャンネルが閉状態であり、前記無線周波数ユニットの前記２つのトランシーバ・ポートの送信チャンネルが稼働状態であり、前記無線周波数ユニットの前記２つの受信ポートは、前記アンテナユニットの他のデュアル偏波ダイポールに対応するポートに別々に接続される
ことを特徴とする基地局。
【請求項４】
前記アンテナユニットは、４つのポートを備えた１つのデュアル偏波アンテナであるか、又は、前記アンテナユニットは、各々２つのポートを備えた２つのデュアル偏波アンテナであることを特徴とする請求項２又は３に記載の基地局。
【請求項５】
アンテナユニットと、無線周波数ユニットとを備えた基地局であって、
受信チャンネルに対応する、前記無線周波数ユニットの稼働状態にあるポートと、送信チャンネルに対応する、前記無線周波数ユニットの稼働状態にあるポートは、前記アンテナユニットの異なるデュアル偏波ダイポール又は異なるシングル偏波ダイポールに対応するポートに別々に接続され、前記アンテナユニットの前記異なるデュアル偏波ダイポール又は前記異なるシングル偏波ダイポールは、相互に隔離されており、
前記無線周波数ユニットは、２つのトランシーバ・ポートを具備し、前記アンテナユニットは、２つのシングル偏波ダイポールを具備し、各シングル偏波ダイポールは、前記アンテナユニットの１つのポートに対応し、
その、受信チャンネルに対応する、前記無線周波数ユニットの稼働状態にあるポートと、送信チャンネルに対応する、前記無線周波数ユニットの稼働状態にあるポートが、前記アンテナユニットの異なるシングル偏波ダイポールに対応するポートに別々に接続されることは、特に、
前記無線周波数ユニットの前記２つのトランシーバ・ポートが、前記アンテナユニットの２つのポートに別々に接続され、前記無線周波数ユニットの一方のトランシーバ・ポートの受信チャンネルが閉状態であるとともに、送信チャンネルが稼働状態であり、前記無線周波数ユニットの他方のトランシーバ・ポートの送信チャンネルが閉状態であるとともに、受信チャンネルが稼働状態である
ことを特徴とする基地局。
【請求項６】
アンテナユニットと、無線周波数ユニットとを備えた基地局であって、
受信チャンネルに対応する、前記無線周波数ユニットの稼働状態にあるポートと、送信チャンネルに対応する、前記無線周波数ユニットの稼働状態にあるポートは、前記アンテナユニットの異なるデュアル偏波ダイポール又は異なるシングル偏波ダイポールに対応するポートに別々に接続され、前記アンテナユニットの前記異なるデュアル偏波ダイポール又は前記異なるシングル偏波ダイポールは、相互に隔離されており、
前記無線周波数ユニットは、２つの無線周波数サブユニットを具備し、各無線周波数サブユニットは、３つのトランシーバ・ポートと、３つの受信ポートとを具備し、前記アンテナユニットは、６つのデュアル偏波ダイポールを具備し、各デュアル偏波ダイポールは、前記アンテナユニットの２つのポートに対応し、前記６つのデュアル偏波ダイポールは、３つの第１デュアル偏波ダイポールと、３つの第２デュアル偏波ダイポールとを具備し、
その、受信チャンネルに対応する、前記無線周波数ユニットの稼働状態にあるポートと、送信チャンネルに対応する、前記無線周波数ユニットの稼働状態にあるポートが、前記アンテナユニットの異なるデュアル偏波ダイポールに対応するポートに別々に接続されることは、特に、
前記アンテナユニットの１２のポートが、前記無線周波数ユニットの１２のポートに別々に接続され、前記アンテナユニットの第１デュアル偏波ダイポールのそれぞれの１つのポートが１つの無線周波数サブユニットのトランシーバ・ポートに接続され、他方のポートが、他方の無線周波数サブユニットのトランシーバ・ポートに接続され、前記アンテナユニットの第２デュアル偏波ダイポールのそれぞれの１つのポートが、１つの無線周波数サブユニットの受信ポートに接続され、他方のポートが他の無線周波数サブユニットの受信ポートに接続され、
前記無線周波数サブユニットのそれぞれのすべての前記トランシーバ・ポートの受信チャンネルは、閉状態であり、送信チャンネルは、稼働状態である
ことを特徴とする基地局。
【請求項７】
前記アンテナユニットは、それぞれが４つのポートを備える３つのデュアル偏波アンテナであることを特徴とする請求項６に記載の基地局。
【請求項８】
アンテナユニットと、無線周波数ユニットとを備えた基地局であって、
受信チャンネルに対応する、前記無線周波数ユニットの稼働状態にあるポートと、送信チャンネルに対応する、前記無線周波数ユニットの稼働状態にあるポートは、前記アンテナユニットの異なるデュアル偏波ダイポール又は異なるシングル偏波ダイポールに対応するポートに別々に接続され、前記アンテナユニットの前記異なるデュアル偏波ダイポール又は前記異なるシングル偏波ダイポールは、相互に隔離されており、
前記基地局は、
コンバイナをさらに具備し、前記無線周波数ユニットは、第１無線周波数サブユニットと、第２無線周波数サブユニットとを具備し、前記アンテナユニットは、２つのデュアル偏波ダイポールを具備し、１つのデュアル偏波ダイポールは、前記アンテナユニットの２つのポートに対応し、
２つのトランシーバ・ポートを具備する第１無線周波数ユニットと、４つのトランシーバ・ポートを具備する第２無線周波数ユニットは、２つのポートを備える１つのデュアル偏波アンテナを共有し、
その、受信チャンネルに対応する、前記無線周波数ユニットの稼働状態にあるポートと、送信チャンネルに対応する、前記無線周波数ユニットの稼働状態にあるポートが、前記アンテナユニットの異なるデュアル偏波ダイポールに対応するポートに別々に接続されることは、特に、
前記第２無線周波数サブユニットの２つのトランシーバ・ポートが、前記アンテナユニットの１つのデュアル偏波ダイポールに対応する２つのポートに別々に接続され、前記第２無線周波数サブユニットの他方の２つのトランシーバ・ポートが、前記コンバイナの２つのポートに別々に接続され、前記第１無線周波数サブユニットの前記２つのトランシーバ・ポートが、前記コンバイナの他の２つのポートに別々に接続され、前記コンバイナの他の２つのポートが、前記アンテナユニットの他のデュアル偏波ダイポールに対応する２つのポートに接続され、
前記コンバイナに接続されている前記第２無線周波数サブユニットの前記２つのトランシーバ・ポートの受信チャンネルは、閉状態であるとともに、送信チャンネルは、稼働状態である
ことを特徴とする基地局。
【請求項９】
前記アンテナユニットは、それぞれが２つのポートを備える２つのデュアル偏波アンテナを具備することを特徴とする請求項８に記載の基地局。
【発明の詳細な説明】
【技術分野】
【０００１】
本発明は、通信技術に関連し、特に基地局に関する。
【背景技術】
【０００２】
事業者(operators)の建設資金の不足により、ネットワーク共有が一般的に使用されるネットワークの建設様式となっている。ネットワーク共有は、一般に、マルチオペレータ・無線アクセスネットワーク(Multioperator Radio Access Network, 略してＭＯＲＡＮ)と、マルチオペレータ・コア・ネットワーク(Multioperator core network, 略してＭＯＣＮ)に分けられる。ＭＯＣＮでは、複数の事業者はスペクトルと無線アクセスデバイスを共有する。ＭＯＲＡＮでは、複数の事業者は、それぞれ独自の独立したスペクトルを有し、無線アクセスデバイスのみを共有する。例えば、３つの事業者がそれぞれ独自の独立したスペクトルを有しているが、１つの無線周波数モジュールとアンテナを共有している。この方法において、各事業者に対し、本来は、基地局設備のセットが各事業者のために設定される必要があるが、しかし、現在では、３つの事業者は１つの基地局設備のみを使用する。したがって、２／３ネットワーク建設費用が節約でき、さらに、独自のスペクトル競合性が保証され得る。無線周波数モジュールは、リモート無線ユニット(Remote Radio Unit, 略してＲＲＵ)、又はマクロ基地局無線周波数ユニット(Radio Frequency Unit, 略してＲＦＵ)であり得る。
【０００３】
ＤＤ８００Ｍ周波数帯域全体は、３０Ｍの帯域幅を有しており、周波数帯域に従って連続的にＣ１、Ｃ２、Ｃ３の３キャリアに分割されており、１０Ｍが１つのキャリアであるならば、Ｃ１はＣ２に隣接し、Ｃ２はＣ３に隣接する。３つの事業者は各々１０Ｍの帯域幅を占有する。ネットワーク建設費用を節約するために、３つの事業者は、１つの無線周波数モジュールと、それぞれの事業者に対し１つのキャリアを必要とする３パーティＭＯＲＡＮソリューションを使用する。しかし、ＤＤ８００Ｍ周波数帯域の特殊性により、必要物の実装中に、ダウンリンクで生成された相互変調信号がアップリンク信号と干渉するという問題を生じる。３キャリア及びＤＤ８００Ｍ周波数帯域のダウンリンクのキャリア間において生成された相互変調信号のいくつかは、周波数帯域間隔内にあり、基地局アップリンク信号に大きく干渉し、無線周波数モジュールの受信感度の低下を招く。ダウンリンク信号の送信電力が非常に高く、アップリンク信号が弱いため、アップリンク信号により生成された相互変調信号がダウンリンク周波数帯域間隔内にあるならば、ダウンリンクへの干渉は小さく、無視し得る。ＤＤ８００Ｍのほかに、移動体通信において使用される他の周波数帯域も、ダウンリンクで生成された相互変調信号がアップリンク信号と干渉するという問題を有している。
【０００４】
デュアル無線周波数モジュールのソリューションは、上述の相互変調干渉の問題を解決し得る。ＤＤ８００Ｍ周波数帯域の２つの隣接キャリアＣ１＋Ｃ２の間、又は２つの隣接キャリアＣ２＋Ｃ３の間、ダウンリンクで生成された相互変調干渉はアップリンク間隔内には含まれない。この方法において、２つのＲＲＵ／ＲＦＵと、２つのデュアル偏波アンテナは、お互いのセクタのために設定され得、２つの隣接キャリアＣ１＋Ｃ２又は２つの隣接キャリアＣ２＋Ｃ３が、１つの無線周波数モジュールに設定され、２つの隣接キャリアＣ２＋Ｃ３又は２つの隣接キャリアＣ１＋Ｃ２は他の無線周波数モジュールに設定され、２つの無線周波数モジュールは、３キャリアをサポートできるとともに、組み合わされた後には３パーティＭＯＲＡＮ機能を実装できる。しかし、各セクタは２つの無線周波数モジュールを使用する必要があるので無線周波数モジュールの量が増加し、これにより、デバイス及びプロジェクトのコストが増加し、またＭＯＲＡＮの目的は、無線周波数モジュールを共有することである。したがって、ＭＯＲＡＮソリューションの重要性は低下する。
【発明の概要】
【課題を解決するための手段】
【０００５】
本発明の実施形態は、ダウンリンク信号により生成された相互変調信号のアップリンク信号への干渉の問題を解決するように構成された基地局を提供する。
【０００６】
本発明は、アンテナユニットと、無線周波数ユニットとを含んでいる基地局を提供し、
受信チャンネルに対応する、前記無線周波数ユニットの稼働状態にあるポートと、送信チャンネルに対応する、前記無線周波数ユニットの稼働状態にあるポートは、前記アンテナユニットの異なるデュアル偏波ダイポール又は異なるシングル偏波ダイポールに対応するポートに別々に接続され、前記アンテナユニットの前記異なるデュアル偏波ダイポール又は前記異なるシングル偏波ダイポールは、相互に隔離されている。
【０００７】
第１の可能な実装様式において、アンテナユニットは、Ｎのデュアル偏波ダイポールを含み、前記Ｎのデュアル偏波ダイポールは、Ｎ／２第１デュアル偏波ダイポールと、Ｎ／２第２デュアル偏波ダイポールとを含み、各デュアル偏波ダイポールは、前記アンテナユニットの２つのポートに対応し、Ｎは偶数であり、
その、受信チャンネルに対応する、前記無線周波数ユニットの稼働状態にあるポートと、送信チャンネルに対応する、前記無線周波数ユニットの稼働状態にあるポートが、前記アンテナユニットの異なるデュアル偏波ダイポールに対応するポートに別々に接続されていることは、特に、
前記無線周波数ユニットの任意の２つのトランシーバ・ポートと、前記アンテナユニットの１つのデュアル偏波ダイポールに対応するポートとに別々に接続されており、
前記アンテナユニットの第１デュアル偏波ダイポールに対応する２つのポートに接続されている前記無線周波数ユニットの２つのトランシーバ・ポートに対応する受信チャンネルは、閉状態であり、前記アンテナユニットの第１デュアル偏波ダイポールに対応する２つのポートに接続されている前記無線周波数ユニットの２つのトランシーバ・ポートに対応する送信チャンネルは、稼働状態であり、
前記アンテナユニットの第２デュアル偏波ダイポールに対応する２つのポートに接続されている前記無線周波数ユニットの２つのトランシーバ・ポートに対応する送信チャンネルは、閉状態であり、前記アンテナユニットの第２デュアル偏波ダイポールに対応する２つのポートに接続されている前記無線周波数ユニットの２つのトランシーバ・ポートに対応する受信チャンネルは、稼働状態である。
【０００８】
第１の態様に関連し、第２の可能な実装様式において、前記無線周波数ユニットは、２つの受信ポートと、２つのトランシーバ・ポートとを含み、前記アンテナユニットは、２つのデュアル偏波ダイポールを含み、各デュアル偏波ダイポールは、前記アンテナユニットの２つのポートに対応し、
その、受信チャンネルに対応する、前記無線周波数ユニットの稼働状態にあるポートと、送信チャンネルに対応する、前記無線周波数ユニットの稼働状態にあるポートが、前記アンテナユニットの異なるデュアル偏波ダイポールに対応するポートに別々に接続されていることは、特に、
前記無線周波数ユニットの前記２つのトランシーバ・ポートは、前記アンテナユニットの１つのデュアル偏波ダイポールに対応するポートに別々に接続され、前記無線周波数ユニットの前記２つのトランシーバ・ポートの受信チャンネルは、閉状態であり、前記無線周波数ユニットの前記２つのトランシーバ・ポートの送信チャンネルは、稼働状態であり、前記無線周波数ユニットの２つの受信ポートは、前記アンテナユニットの他のデュアル偏波ダイポールに対応するポートに別々に接続されている。
【０００９】
第１の態様に関連し、第３の可能な実装様式において、前記無線周波数ユニットは、２つのトランシーバ・ポートを含み、前記アンテナユニットは、２つのシングル偏波ダイポールを含み、各シングル偏波ダイポールは、前記アンテナユニットの１つのポートに対応し、
その、受信チャンネルに対応する、前記無線周波数ユニットの稼働状態にあるポートと、送信チャンネルに対応する、前記無線周波数ユニットの稼働状態にあるポートが、前記アンテナユニットの異なるシングル偏波ダイポールに対応するポートに別々に接続されていることは、特に、
前記無線周波数ユニットの前記２つのトランシーバ・ポートが、前記アンテナユニットの２つのポートに別々に接続され、前記無線周波数ユニットのトランシーバ・ポートの一方の受信チャンネルが閉状態であるとともに、送信チャンネルが稼働状態であり、前記無線周波数ユニットの他方のトランシーバ・ポートの送信チャンネルが閉状態であるとともに、受信チャンネルが稼働状態である。
【００１０】
第１の態様に関連し、第４の可能な実装様式において、前記無線周波数ユニットは、２つの無線周波数サブユニットを含み、各無線周波数サブユニットは、３つのトランシーバ・ポートと、３つの受信ポートとを含み、前記アンテナユニットは、６つのデュアル偏波ダイポールを含み、各デュアル偏波ダイポールは、前記アンテナユニットの２つのポートに対応し、前記６つのデュアル偏波ダイポールは、３つの第１デュアル偏波ダイポールと、３つの第２デュアル偏波ダイポールとを含み、
その、受信チャンネルに対応する、前記無線周波数ユニットの稼働状態にあるポートと、送信チャンネルに対応する、前記無線周波数ユニットの稼働状態にあるポートが、前記アンテナユニットの異なるデュアル偏波ダイポールに対応するポートに別々に接続されていることは、特に、
前記アンテナユニットの１２のポートが、前記無線周波数ユニットの１２のポートに別々に接続され、前記アンテナユニットの各第１デュアル偏波ダイポールの１つのポートが、１つの無線周波数サブユニットのトランシーバ・ポートに接続されるとともに、他のポートが前記他の無線周波数サブユニットのトランシーバ・ポートに接続され、前記アンテナユニットの各第２デュアル偏波ダイポールの１つのポートが、１つの無線周波数サブユニットの受信ポートに接続されるとともに、他のポートが前記他の無線周波数サブユニットの受信ポートに接続され、
各無線周波数サブユニットのすべてのトランシーバ・ポートの受信チャンネルが閉状態であるとともに、送信チャンネルが稼働状態である。
【００１１】
第１の態様に関連し、第５の可能な実装様式において、前記基地局は、コンバイナをさらに含み、前記無線周波数ユニットは、第１無線周波数サブユニットと、第２無線周波数サブユニットとを含み、前記アンテナユニットは、２つのデュアル偏波ダイポールを含み、１つのデュアル偏波ダイポールは、前記アンテナユニットの２つのポートに対応し、
２つのトランシーバ・ポートを含む前記第１無線周波数ユニットと、４つのトランシーバ・ポートを含む第２無線周波数ユニットは、２つのポートを有する１つのデュアル偏波アンテナを共有し、
その、受信チャンネルに対応する、前記無線周波数ユニットの稼働状態にあるポートと、送信チャンネルに対応する、前記無線周波数ユニットの稼働状態にあるポートとが前記アンテナユニットの異なるデュアル偏波ダイポールに対応するポートに別々に接続されていることは、特に、
前記第２無線周波数サブユニットの２つのトランシーバ・ポートが前記アンテナユニットの１つのデュアル偏波ダイポールに対応する２つのポートに別々に接続されるとともに、前記第２無線周波数サブユニットの他の２つのトランシーバ・ポートが前記コンバイナの２つのポートに別々に接続され、前記第１無線周波数サブユニットの前記２つのトランシーバ・ポートが前記コンバイナの他の２つのポートに別々に接続され、前記コンバイナの他の２つのポートが前記アンテナユニットの前記他のデュアル偏波ダイポールに対応する２つのポートに接続され、
前記コンバイナに接続されている前記第２無線周波数サブユニットの前記２つのトランシーバ・ポートの受信チャンネルは、閉状態であるとともに、送信チャンネルは、稼働状態である。
【００１２】
上記の技術的ソリューションにおいて、無線周波数ユニットにより受信することと送信することは、異なる偏波ダイポールで別々に実行され、同じ偏波ダイポールでは実行されない。前記無線周波数ユニットは、信号を受信するとともに、信号を異なるデュアル偏波ダイポール又は異なるシングル偏波ダイポールで別々に送信し、アンテナユニットの異なるデュアル偏波ダイポール又は異なるシングル偏波ダイポールは相互に隔離されており、すなわち、アップリンク・チャンネルは、ダウンリンク・チャンネルから隔離されており、アップリンク及びダウンリンクは完全に影響しない。したがって、前記無線周波数ユニットの送信した信号の相互変調信号の受信信号への干渉、すなわち、ダウンリンクキャリアの相互変調信号のアップリンク信号への干渉が防止される。本発明の実施形態において提供される方法は、同じ周波数帯域上のダウンリンク信号により生成される相互変調信号のアップリンク信号への干渉を排除できるとともに、異なる周波数帯域上のダウンリンク信号により生成された相互変調信号のアップリンク信号への干渉も排除できる。
【図面の簡単な説明】
【００１３】
【図１】図１は、本発明の実施形態による、基地局の概略構造図である。
【図２Ａ】図２Ａは、本発明の実施形態による、他の基地局の概略構造図である。
【図２Ｂ】図２Ｂは、図２Ａの基地局と等価な代わりの基地局の概略構造図である。
【図３】図３は、本発明の実施形態による、さらなる他の基地局の概略構造図である。
【図４】図４は、本発明の実施形態による、さらなる他の基地局の概略構造図である。
【図５】図５は、本発明の実施形態による、さらなる他の基地局の概略構造図である。
【図６】図６は、本発明の実施形態による、さらなる他の基地局の概略構造図である。
【発明を実施するための形態】
【００１４】
本発明の実施形態は、ロング・ターム・エボリューション(Long Term Evolution, 略してＬＴＥ)、ユニバーサル移動体通信システム(Universal Mobile Telecommunications System, 略してＵＭＴＳ)、及び、モバイル通信用グローバルシステム(Global System for Mobile communication, 略してＧＳＭ（登録商標）)などの規格を適用し、サポートされる周波数帯域は、限定されないがＤＤ８００Ｍ、７００Ｍ，１８００Ｍ，１９００Ｍ、及び９００Ｍを含む。本発明の実施形態は、同じ周波数帯域及び異なる周波数帯域上のダウンリンクにより生成された相互変調信号のアップリンクへの干渉を除去する。相互変調干渉は、限定されないが、三次相互変調及び五次相互変調を含む。全てのダウンリンク信号がアップリンク信号と干渉するわけではなく、相互変調干渉状態が合致する場合にのみ干渉が生じることに留意すべきである。相互変調干渉状態は、以下のとおりである：ｆ１とｆ２がダウンリンク周波数帯域の任意の２つの周波数であるならば、周波数が２ｆ１＋ｆ２及び２ｆ１−ｆ２である相互変調信号が２つの周波数間に生成され、アップリンク周波数帯域内であるならば、相互変調信号は、相互変調干渉をアップリンクに生成する。アップリンク信号は、携帯電話などの端末により送信され、アンテナにより受信される信号であり、端末により送信される信号は非常に弱く、したがって、干渉はアップリンク信号に大きく影響を与える。加えて、アップリンク信号(ミリワットレベル)は、ダウンリンク信号(数１０ワット)に対して非常に弱いため、アップリンクのダウンリンクへの干渉は、無視し得る。
【００１５】
図１は、本発明の実施形態による、基地局の概略構造図である。図１に示されている基地局は、アンテナユニット１１と、無線周波数ユニット１２とを含み、無線周波数ユニット１２は、ＲＦＵであるか、又はＲＲＵであり得る。無線周波数ユニットは、ＤＤ８００Ｍの３キャリア又は２つの隣接しないキャリアをサポートし得る。図１に示されているアンテナユニット１１は、２つのデュアル偏波ダイポール又は２つのシングル偏波ダイポールを含む。デュアル偏波ダイポールは、一方の偏波方向が＋４５度であり、他方の偏波方向が−４５度である２つのアンテナ要素が一緒にインストールされていることを指す。シングル偏波ダイポールは、１つのアンテナ要素で１つの偏波方向であるものを指す。
【００１６】
無線周波数ユニット１２の受信チャンネルに対応する稼働状態であるポートと、無線周波数ユニット１２の送信チャンネルに対応する稼働状態であるポートは、アンテナユニット１１の異なるデュアル偏波ダイポール又は異なるシングル偏波ダイポールに対応するポートに別々に接続される。すなわち、無線周波数ユニットによる受信及び送信は異なるデュアル偏波ダイポール上で別々に実行され、同じデュアル偏波ダイポール上では実行されない、又は、無線周波数ユニットによる受信及び送信は異なるシングル偏波ダイポール上で別々に実行され、同じシングル偏波ダイポール上では実行されない。
【００１７】
無線周波数ユニットは、異なるデュアル偏波ダイポール又は異なるシングル偏波ダイポール上で別々に信号を受信するとともに信号を送信し、アンテナユニットの異なるデュアル偏波ダイポール又は異なるシングル偏波ダイポールは、相互に隔離されており、すなわち、アップリンク・チャンネルは、ダウンリンク・チャンネルから隔離されており、アップリンク及びダウンリンクは、全く影響されない。したがって、無線周波数ユニットの送信した信号の相互変調信号の受信される信号への干渉、すなわち、ダウンリンクキャリアの相互変調信号のアップリンク信号への干渉が防止される。本発明のこの実施形態において提供される方法は、同じ周波数帯域上でダウンリンク信号により生成された相互変調信号のアップリンク信号への干渉を除去し得、異なる周波数帯域上でダウンリンク信号により生成された相互変調信号のアップリンク信号への干渉も除去し得る。
【００１８】
この実施形態において提供される技術的ソリューションは、例えば、ＲＲＵ及びＲＦＵなどの既存の無線周波数ユニット及び単純なかつ実現可能なネットワークソリューションを使用し、アップリンクとダウンリンクの間の干渉の技術的問題は、無線周波数ユニットの追加の必要なしに解決され、複数のユーザが無線周波数ユニットを共有するという要件が満たされる。２つの無線周波数ユニットを使用する複数のＲＲＵ／ＲＦＵとの既存のソリューションと比べると、ただ1つの無線周波数ユニットを使用するこの実施形態は、１／２のネットワーク建設費用を節約し、システムパフォーマンスは全く影響しない。
【００１９】
例えば、アンテナユニットがＮのデュアル偏波ダイポールを含み、１つのデュアル偏波ダイポールは、アンテナユニットの２つのポートに対応し、無線周波数ユニットは、２Ｎのトランシーバ・ポートを含む場合において、ダウンリンクキャリアの三次相互変調信号のアップリンク信号への干渉を防ぐために、アンテナユニットと無線周波数ユニットの接続様式は以下のとおりである。
【００２０】
Ｎは偶数であり、Ｎのデュアル偏波ダイポールは、Ｎ／２の第１デュアル偏波ダイポールと、Ｎ／２の第２デュアル偏波ダイポールとを含む。
【００２１】
その、受信チャンネルに対応する、無線周波数ユニットの稼働状態にあるポートと、送信チャンネルに対応する、無線周波数ユニットの稼働状態にあるポートが、アンテナユニットの異なるデュアル偏波ダイポールに対応するポートに別々に接続されていることは、特に、
無線周波数ユニットの任意の２つのトランシーバ・ポートは、アンテナユニットの１つのデュアル偏波ダイポールに対応するポートに別々に接続されている。
【００２２】
アンテナユニットの第１デュアル偏波ダイポールに対応する２つのポートに接続されている無線周波数ユニットの２つのトランシーバ・ポートに対応する受信チャンネルは、閉状態(closed state)であり、アンテナユニットの第１デュアル偏波ダイポールに対応する２つのポートに接続されている無線周波数ユニットの２つのトランシーバ・ポートに対応する送信チャンネルは、稼働状態(working state)である。アンテナユニットの第２デュアル偏波ダイポールに対応する２つのポートに接続されている無線周波数ユニットの２つのトランシーバ・ポートに対応する送信チャンネルは、閉状態であり、アンテナユニットの第２デュアル偏波ダイポールに対応する２つのポートに接続されている無線周波数ユニットの２つのトランシーバ・ポートに対応する受信チャンネルは、稼働状態である。すなわち、アンテナユニットのＮのデュアル偏波ダイポールは、２つのグループに分割され、デュアル偏波ダイポールの１つのグループに接続されている、無線周波数ユニットのトランシーバ・ポートの受信機能は、ディスエーブルされ、デュアル偏波ダイポールの他のグループに接続されている、無線周波数ユニットのトランシーバ・ポートの送信機能は、ディスエーブルされる。したがって、無線周波数ユニットは、異なるデュアル偏波ダイポール上で信号を受信するとともに信号を送信し、これにより、ダウンリンク信号により生成された相互変調信号のアップリンク信号への干渉が防止される。ダウンリンク信号により生成された相互変調信号のアップリンク信号への干渉が同じ周波数帯域及び異なる周波数帯域の双方のために除去され得る。
【００２３】
図２Ａから図６において、ＴＸ(Transmit)は、送信ポートを示し、ＲＸ(Receive)は、受信ポートを示し、ＲＸ／ＴＸ(Receive/Transmit)は、トランシーバ・ポートを示している。図２Ａから図６に対応する実施形態は、図１の別々の特定の実施形態である。
【００２４】
図２Ａは、本発明の実施形態による、他の基地局の概略構造図である。図２Ａに示されているように、この実施形態において提供されるアンテナユニット１１は、２つのデュアル偏波ダイポールを含み、１つのデュアル偏波ダイポールは、第１デュアル偏波ダイポールであり、他のデュアル偏波ダイポールは、第２デュアル偏波ダイポールであり、各デュアル偏波ダイポールは、アンテナユニットの２つのポートに対応し、この実施形態において提供される無線周波数ユニット１２は、４つのトランシーバ・ポート：Ａ，Ｂ，Ｃ，Ｄを含んでいる。図２Ａに示されているように、アンテナユニット１１は、それぞれ２つのポートを有する２つのデュアル偏波アンテナであり、２つのデュアル偏波アンテナは一緒にインストールされている。図２Ｂに示されているように、アンテナユニット１１も、４つのポートを有する１つのデュアル偏波アンテナであり得る。無線周波数ユニット１２は、ＲＦＵであってもよく、又は、ＲＲＵであってもよい。無線周波数ユニットは、ＤＤ８００Ｍの３キャリア又はＤＤ８００Ｍの２つの隣接しないキャリアであり得る。
【００２５】
無線周波数ユニット１２の４つのトランシーバ・ポートは、アンテナユニットの４つのポートに別々に接続される。アンテナユニット１１の１つのデュアル偏波ダイポール１１１に接続されている無線周波数ユニット１２の２つのトランシーバ・ポートＡ及びＢに対応する受信チャンネルは、閉状態であり、アンテナユニットの他のデュアル偏波ダイポール１１２に接続されている無線周波数ユニットの２つのトランシーバ・ポートＣ及びＤの送信チャンネルは、閉状態である。すなわち、無線周波数ユニット１２のトランシーバ・ポートＡ及びＢの受信チャンネルは、閉状態であり、無線周波数ユニット１２のトランシーバ・ポートＡ及びＢは、稼働中は送信機能のみを有しており、無線周波数ユニット１２のトランシーバ・ポートＣ及びＤの送信チャンネルは、閉状態であり、無線周波数ユニット１２のトランシーバ・ポートＣ及びＤは、稼働中は受信機能のみを有する。無線周波数ユニット１２は、アンテナユニット１１のデュアル偏波ダイポール１１１を使用して信号を送信し、無線周波数ユニット１２は、アンテナユニット１１のデュアル偏波ダイポール１１２を使用して信号を受信する。無線周波数ユニット１２は、異なるデュアル偏波ダイポール上で別々に信号を受信するとともに信号を送信する。したがって、無線周波数ユニット１２のトランシーバ・ポートＡ及びＢの送信された信号により生成された相互変調信号は、無線周波数ユニット１２のトランシーバ・ポートＣ及びＤの受信された信号との干渉から防止される。同様に、無線周波数ユニット１２のトランシーバ・ポートＣ及びＤの送信された信号により生成された相互変調信号は、無線周波数ユニット１２のトランシーバ・ポートＡ及びＢの受信された信号との干渉から防止される。
【００２６】
図３は、本発明の実施形態によるさらなる他の基地局の概略構造図である。図３と図２Ａの違いは、図３の無線周波数ユニット１１は、２つの受信ポートと２つのトランシーバ・ポートとを含み、Ａ及びＢは、トランシーバ・ポートであり、Ｃ及びＤは、受信ポートであるが、図２Ａの無線周波数ユニット１１は、４つのトランシーバ・ポートを含んでいることにある。図３のアンテナユニットは、４つのポートを有する１つのデュアル偏波アンテナであり、又は２つのポートを有する２つのデュアル偏波アンテナであってもよい。無線周波数ユニット１２は、ＲＦＵであっても、ＲＲＵであってもよい。無線周波数ユニットは、ＤＤ８００Ｍの３キャリア、又は、ＤＤ８００Ｍの２つの隣接していないキャリアをサポートし得る。
【００２７】
同様に、アンテナユニット１１は、２つのデュアル偏波ダイポールを含み、１つのデュアル偏波ダイポールは、アンテナユニットの２つのポートに対応する。
【００２８】
受信チャンネルに対応する、無線周波数ユニットの稼働状態にあるポートと、送信チャンネルに対応する、無線周波数ユニットの稼働状態にあるポートは、アンテナユニットの異なるデュアル偏波ダイポールに対応するポートに別々に接続され、具体的な実装様式は以下のとおりである：
無線周波数ユニットの２つのトランシーバ・ポートは、アンテナユニットの１つのデュアル偏波ダイポール１１１に対応するポートに別々に接続されており、無線周波数ユニットの２つのトランシーバ・ポートＡ及びＢの受信チャンネルは、閉状態であり、無線周波数ユニットの２つのトランシーバ・ポートＡ及びＢの送信チャンネルは、稼働状態であり、無線周波数ユニットの２つの受信ポートＣ及びＤは、アンテナユニットの他のデュアル偏波ダイポール１１２に対応するポートに別々に接続されている。したがって、無線周波数ユニットは、トランシーバ・ポートＡ及びＢから信号を送信し、受信ポートＣ及びＤから信号を受信し、ダウンリンクキャリア間の三次相互変調信号は、アップリンク信号と干渉しない。
【００２９】
同様に、無線周波数ユニット１２は、また、２つのトランシーバ・ポートＡ及びＢと、２つの送信ポートＣ及びＤとを含み得る。無線周波数ユニットの２つのトランシーバ・ポートは、アンテナユニットの１つのデュアル偏波ダイポール１１１に対応するポートに別々に接続されており、無線周波数ユニットの２つのトランシーバ・ポートＡ及びＢの送信チャンネルは、閉状態であり、無線周波数ユニットの２つの送信ポートＣ及びＤは、アンテナユニットの他のデュアル偏波ダイポール１１２に対応するポートに別々に接続されている。したがって、無線周波数ユニットのポートＣ及びＤは、デュアル偏波ダイポール１１２を使用して信号を送信するとともに、ポートＡ及びＢは、デュアル偏波ダイポール１１１を使用して信号を受信し、送信及び受信のためのアンテナの隔離を最大限確保し、ダウンリンクにより生成される相互変調信号はアップリンク信号と干渉しない。
【００３０】
図４は、本発明の実施形態によるさらなる他の基地局の概略構造図である。この実施形態において、アンテナユニットは、シングル偏波ダイポールを使用する。図４に示されているように、アンテナユニット１１は、２つのシングル偏波ダイポールを含み、１つのシングル偏波ダイポールは、アンテナユニットの１つのポートに対応し、無線周波数ユニット１２は、２つのトランシーバ・ポートを含む。アンテナユニット１１は、１つのシングル偏波ダイポールを各々有する２つのアンテナであり得、又は、２つのポートを有する１つのシングル偏波アンテナであり得る。この実施形態は、屋内カバレッジネットワークに適用される。無線周波数ユニット１２は、ＤＤ８００Ｍの３キャリア又はＤＤ８００Ｍの２つの隣接していないキャリアをサポートする。
【００３１】
受信チャンネルに対応する、無線周波数ユニットの稼働状態にあるポートと、送信チャンネルに対応する、無線周波数ユニットの稼働状態にあるポートは、アンテナユニットの異なるシングル偏波ダイポールに対応するポートに別々に接続されており、具体的な実施様式は以下のとおりである：
無線周波数ユニットの２つのトランシーバ・ポートは、アンテナユニットの２つのポートに別々に接続され、無線周波数ユニットの１つのトランシーバ・ポートの受信チャンネルはで閉状態あるとともに、送信チャンネルは、稼働状態であり、無線周波数ユニットの他のトランシーバ・ポートの送信チャンネルは、閉状態であるとともに、受信チャンネルは、稼働状態である。具体的には、図４において、無線周波数ユニット１２のポートＡの受信チャンネルは、稼働中は閉状態であるとともに、ポートＢの送信チャンネルは稼働中は閉状態である。すなわち、信号は、ポートＡから送信されるとともに、信号は、ポートＢから受信され、ポートＡ及びポートＢは、異なるシングル偏波ダイポールに接続されている。したがって、無線周波数ユニット１２による受信および送信は、アンテナユニットの異なるシングル偏波ダイポール上で別々に実行され、ポートＡの送信される信号は、ポートＢの受信される信号と干渉せず、ダウンリンクキャリア間の相互変調信号がアップリンク信号と干渉することを防止する。同様に、ポートＢの受信チャンネルが閉じられてもよく、又はポートＡの送信チャンネルが閉じされてもよい。すなわち、信号は、ポートＡから送信されるとともに、信号は、ポートＢから受信され、ポートＡ及びポートＢは、異なるシングル偏波ダイポールに接続されている。したがって、無線周波数ユニット１２による受信及び送信は、アンテナユニットの異なるシングル偏波ダイポール上で別々に実行され、ポートＡの送信された信号は、ポートＢの受信される信号と干渉せず、ダウンリンクキャリア間の相互変調信号がアップリンク信号と干渉することを防止する。
【００３２】
図５は、本発明の実施形態による、さらなる他の基地局の概略構造図である。この実施形態において、無線周波数ユニットは、３ポートが送信のために、６ポートが受信のためのものとなるようにセットされ、ネットワーキングの間、各サイトで、３つのセクタがあり、２つのＲＲＵ／ＲＦＵが設定される。この実施形態において提供される無線周波数ユニットは、２つの無線周波数サブユニットを含み、各無線周波数サブユニットは、３つのトランシーバ・ポートと、３つの受信ポートとを含み、各無線周波数ユニットは、ＤＤ８００Ｍの３キャリア又は２つの隣接していないキャリアをサポートし得る。アンテナユニットは、６つのデュアル偏波ダイポールを含み、各デュアル偏波ダイポールは、アンテナユニットの２つのポートに対応する。
【００３３】
図５に示されているように、無線周波数ユニット１２は、２つの無線周波数サブユニット１２１及び１２２を含み、無線周波数サブユニット１２１においてポート１，３，５は、トランシーバ・ポートであり、ポート２，４，６は受信ポートであり、無線周波数サブユニット１２２においてポート１，３，５は、トランシーバ・ポートであり、ポート２，４，６は、受信ポートである。アンテナユニットは、それぞれ４つのポートを有する３つのデュアル偏波アンテナ１１１，１１２，１１３である。
【００３４】
受信チャンネルに対応する、無線周波数ユニットの稼働状態にあるポートと、送信チャンネルに対応する、無線周波数ユニットの稼働状態にあるポートは、アンテナユニットの異なるデュアル偏波ダイポールに対応するポートに別々に接続されており、具体的な実装様式は以下のとおりである：
アンテナユニットの１２のポートは、無線周波数ユニットの１２のポートに別々に接続され、アンテナユニットの各第１デュアル偏波ダイポールの１つのポートは、１つの無線周波数サブユニットのトランシーバ・ポートに接続されるとともに、第１デュアル偏波ダイポールの他のポートは、他の無線周波数サブユニットのトランシーバ・ポートに接続されており、アンテナユニットの各第２デュアル偏波ダイポールの１つのポートは、１つの無線周波数サブユニットの受信ポートに接続されるとともに、他の無線周波数サブユニット第２デュアル偏波ダイポールの他のポートは、の受信ポートに接続されている。ダウンリンク送信をアップリンク受信との干渉を防止するために、各無線周波数サブユニットのすべてのトランシーバ・ポートの受信機能はディスエーブルされており、すなわち、各無線周波数サブユニットのすべてのトランシーバ・ポートの受信チャンネルは、閉状態であり、送信チャンネルは、稼働状態である。すなわち、２つの無線周波数サブユニットは、送信のための２つのポートと受信のための２つのポートと、１つの送信ポートと１つの受信ポートを別々に使用することにより、４つのポートを有する１つのデュアル偏波アンテナ、又は、２つのポートを有する２つのデュアル偏波アンテナを有する１つのセクタを形成し、２つの無線周波数サブユニットはアップリンク及びダウンリンクが隔離されるとともに２つのポートが送信のためであり、２つのポートが受信のためである３つのセクタを形成する。
【００３５】
図５に示されているように、デュアル偏波アンテナ１１１の１つのデュアル偏波ダイポールの１つのポートは、無線周波数サブユニット１２１のトランシーバ・ポート１に接続され、デュアル偏波ダイポールの他のポートは、無線周波数サブユニット１２２のトランシーバ・ポート１に接続されており、デュアル偏波アンテナ１１１の他のデュアル偏波ダイポールの１つのポートは、無線周波数サブユニット１２１の受信ポート２に接続され、デュアル偏波ダイポールの他のポートは、無線周波数サブユニット１２２の受信ポート２に接続されている。この方法により、無線周波数サブユニット１２１のトランシーバ・ポート１と、無線周波数サブユニット１２２のトランシーバ・ポート１は、デュアル偏波アンテナ１１１の１つのデュアル偏波ダイポールを使用して信号を送信し、デュアル偏波アンテナ１１１の他のデュアル偏波ダイポールを使用して信号を受信する。信号受信及び信号送信は、異なるデュアル偏波ダイポール上で実行され、ダウンリンクキャリア間の相互変調信号がアップリンク信号と干渉することを防止する。
【００３６】
デュアル偏波アンテナ１１２とデュアル偏波アンテナ１１３が無線周波数サブユニットに接続される様式は、デュアル偏波アンテナ１１１が無線周波数サブユニットと接続される様式と類似する。ダウンリンク送信により生成された相互変調信号がアップリンク受信と干渉することを防止するために、各無線周波数サブユニットのすべてのトランシーバ・ポートの受信チャンネルは、閉状態であり、稼働中は、送信機能のみを有する。
【００３７】
図６は、本発明の実施形態によるさらなる他の基地局の概略構造図である。この実施形態において、２つの無線周波数サブユニットは、コンバイナを使用して１つのデュアル偏波アンテナを共有する。図６に示されているように、この実施形態において提供される基地局は、アンテナユニット１１、無線周波数ユニット１２、及びコンバイナ１３を含む。無線周波数ユニットは、無線周波数サブユニット１２１と、無線周波数サブユニット１２２とを含み、アンテナユニット１１は、２つのデュアル偏波ダイポールを含み、各デュアル偏波ダイポールは、アンテナユニットの２つのポートに対応する。
【００３８】
無線周波数サブユニット１２１は、２つのトランシーバ・ポートを含み、無線周波数サブユニット１２２は、４つのトランシーバ・ポートを含み、無線周波数サブユニット１２１及び無線周波数サブユニット１２２は、２つのポートを有する１つのデュアル偏波アンテナを共有する。すなわち、２Ｔ２Ｒの無線周波数サブユニット１２１は、周波数帯域Ｆ１を使用し、４Ｔ４Ｒの無線周波数サブユニット１２２は、周波数帯域Ｆ２を使用し、周波数帯域Ｆ２及び周波数帯域Ｆ１は、コンバイナを使用して１つのデュアル偏波アンテナを共有し、送信のための４つのポートと受信のための４つのポートを備えたシステムを形成する。
【００３９】
無線周波数サブユニット１２２の２つのトランシーバ・ポートは、アンテナユニットの１つのデュアル偏波ダイポール１１１に対応する２つのポートに別々に接続され、無線周波数サブユニット１２２の他の２つのトランシーバ・ポートは、コンバイナ１３の２つのポートに別々に接続されている。無線周波数サブユニット１２１の２つのトランシーバ・ポートは、コンバイナ１３の他の２つのポートに別々に接続されており、コンバイナの他の２つのポートは、アンテナユニットの他のデュアル偏波ダイポール１１２に対応する２つのポートに接続されている。
【００４０】
周波数帯域Ｆ１上のダウンリンクキャリアの三次相互変調信号の周波数は、周波数帯域Ｆ２のアップリンク領域の範囲内であり、Ｆ２の受信パフォーマンスに影響を与える。干渉を防止するために、受信チャンネルに対応する、無線周波数ユニットの稼働状態にあるポートと、送信チャンネルに対応する、無線周波数ユニットの稼働状態にあるポートは、アンテナユニットの異なるデュアル偏波ダイポールに対応するポートに別々に接続されており、具体的な実装様式は以下のとおりである：
周波数帯域Ｆ２を使用する無線周波数サブユニット１２２の２つのトランシーバ・ポートＡ及びＢの受信機能はディスエーブルされ得、すなわち、周波数帯域Ｆ２のパフォーマンスに影響を与える、周波数帯域Ｆ１上のダウンリンクキャリアの三次相互変調信号を防止できるように、コンバイナに接続されている無線周波数サブユニット１２２の２つのトランシーバ・ポートの受信チャンネルは、閉状態であり、送信チャンネルは、稼働状態である。この方法により、無線周波数サブユニット１２２において、トランシーバ・ポートＡ及びＢは、デュアル偏波アンテナ１１１を使用して信号を送信し、トランシーバ・ポートＣ及びＤは、デュアル偏波アンテナ１１２を使用して信号を受信および送信し、無線周波数サブユニット１２２の受信される信号に影響を与えることから、無線周波数サブユニット１２１により送信されたダウンリンク信号により生成された相互変調信号を防止する。この実施形態において、Ｆ１のダウンリンクにより生成された相互変調信号のみがＦ１のアップリンク信号に干渉する。
【００４１】
最後に、前述の実施形態が、単に、本発明の技術的解決策を説明するためのものであって、本発明を限定するためのものではないことに留意すべきである。本発明が、前述の実施形態を参照して詳細に説明されたが、当業者は、本発明の実施形態の技術的解決策の範囲から逸脱せずに、彼らが前述の実施形態において説明された技術的解決策に対する変更を行い、あるいは、技術的解決策のいくつかのまたはすべての技術的特徴に対する等価な置換を行うことができることを理解すべきである。
【符号の説明】
【００４２】
１１   アンテナユニット
１２   無線周波数ユニット
１３   コンバイナ
１１１ デュアル偏波ダイポール
１１２ デュアル偏波ダイポール
１１３ デュアル偏波アンテナ
１２１ 無線周波数サブユニット
１２２ 無線周波数サブユニット
【図１】
0006325687.tif 000002
【図２Ａ】
0006325687.tif 000003
【図２Ｂ】
0006325687.tif 000004
【図３】
0006325687.tif 000005
【図４】
0006325687.tif 000006
【図５】
0006325687.tif 000007
【図６】
0006325687.tif 000008